(57)【要約】  装飾的でカスタマイズ可能なペット用ドア。ペット用ドアは、ドアにより画定される開口部を通って延びる留め具で互いに接続されたサブフレーム・アセンブリを含む。サブフレーム・アセンブリはドアに固定されるが、ペット用ドアを取付ける際にドアにドリルなどで穴を形成する必要がない。ペット用ドアは、モジュラー式コアフレームで様々なサイズのドアに適合する。コアフレームは、複数のコア部材を含み、その各々が一つ以上のコア部分を含む。コア部材は第一と第二のサブフレーム・アセンブリ間で横方向に延び、住宅用ドアを通る出入り口を画定する。装飾フレームは解放可能にサブフレーム・アセンブリに取付けられ、脱着が可能であるが、サブフレーム・アセンブリは互いとドアとに固定されたままとなる。装飾フレームにより所有者は好みまたは内装や外装の装飾様式に合うようにペット用ドアをカスタマイズすることができる。
2008520873.tif 000002
【特許請求の範囲】
【請求項１】
住宅用ドアに形成された開口部に取付けられるペット用ドアであって、
第一のサブフレーム・アセンブリと、
第二のサブフレーム・アセンブリと、
コアフレームと
を有し、
前記第一と第二のサブフレーム・アセンブリは、互いと前記住宅用ドアとに固定されるように前記開口部を通って互いに接続され、
前記コアフレームは複数のコアフレーム部材を含み、前記コアフレーム部材は前記第一と第二のサブフレーム・アセンブリ間および前記開口部内で横方向に延び、ペットが通ることができる住宅用ドアを貫通する出入り口を画定しているペット用ドア。
【請求項２】
前記複数のコアフレーム部材は、
第一の第一側面部コアフレーム部分と、
第一の第二側面部コアフレーム部分と、
第一の上部コアフレーム部分と、
第一の底部コアフレーム部分と
を含み、
前記第一の第一側面部、第一の第二側面部、第一の上部、第一の底部の各コアフレーム部分は、前記第一と第二のサブフレーム・アセンブリの少なくとも一つに解放可能に取付けられ、ペットが通ることができる出入り口の少なくとも一部を成す、請求項１に記載のペット用ドア。
【請求項３】
前記複数のコアフレーム部材は、
前記第一の第一側面部コアフレーム部分に解放可能に取付けられた、第二の第一側面部コアフレーム部分と、
前記第一の第二側面部コアフレーム部分に解放可能に取付けられた、第二の第二側面部コアフレーム部分と、
前記第一の第一側面部コアフレーム部分に解放可能に取付けられた、第二の上部コアフレーム部分と、
前記第一の第一側面部コアフレーム部分に解放可能に取付けられた、第二の底部コアフレーム部分と
をさらに含み、
前記第二の第一側面部、第二の第二側面部、第二の上部、第二の底部の各コアフレーム部分は、前記第一または第二のサブフレーム・アセンブリの少なくとも一つに解放可能に取付けられ、ペットが通ることができる出入り口の少なくとも一部を成す、請求項２に記載のペット用ドア。
【請求項４】
前記第一のサブフレーム・アセンブリと、第二のサブフレーム・アセンブリと、第一の上部サブフレーム部分または第二の上部サブフレーム部分とのうち一つと蝶番式に接続された出入り口を殆ど覆うフラップをさらに有する、請求項３に記載のペット用ドア。
【請求項５】
前記フラップは関連する磁場を有し、前記サブフレーム部分またはサブフレーム・アセンブリの一つは反対の極性の磁場を有し、前記磁性のあるサブフレーム部分に引きつけられた前記フラップは出入り口を実質的に閉じる、請求項４に記載のペット用ドア。
【請求項６】
前記ペット用ドアは装飾フレームをさらに含み、前記装飾フレームは前記サブフレーム・アセンブリの一つに解放可能に取付けられることにより、前記サブフレーム・アセンブリが互いと住宅用ドアとに固定されたままの状態で、少なくとも一つの装飾フレームがサブフレーム・アセンブリから取外せる、請求項５に記載のペット用ドア。
【請求項７】
セキュリティ・パネルをさらに含み、前記セキュリティ・パネルはサブフレーム・アセンブリの部材間に設けられて出入り口を覆う、請求項６に記載のペット用ドア。
【請求項８】
前記セキュリティ・パネルはロック機構を含み、前記ロック機構は出入り口上のセキュリティ・パネルをロックするためにサブフレーム・アセンブリの中へ延びるボルトを含む、請求項７に記載のペット用ドア。
【請求項９】
前記解放可能な取付けはさね接ぎによって形成される、請求項２に記載のペット用ドア。
【請求項１０】
前記フラップは可撓性材料で形成される、請求項４に記載のペット用ドア。
【請求項１１】
前記第一と第二のサブフレーム・アセンブリは、前記ドアにより画定される開口部の間で延びる留め具で互いに固定される、請求項１に記載のペット用ドア。
【請求項１２】
前記コアフレーム部材は、前記第一と第二のサブフレーム・アセンブリの間にかけられた圧力によって固定される、請求項１に記載のペット用ドア。
【請求項１３】
前記コアフレーム部分は、コアフレーム部材を接続する留め具を使用することなく、また、コアフレーム部材とサブフレーム・アセンブリとを接続する留め具を使用することなく、サブフレーム・アセンブリ間で解放可能に互いに固定される、請求項１に記載のペット用ドア。
【請求項１４】
住宅用ドアに形成した開口部に取付けられるペット用ドアであって、
第一のサブフレーム・アセンブリと、
第二のサブフレーム・アセンブリと、
装飾フレームと
を有し、
前記第一と第二のサブフレーム・アセンブリは、互いに固定されるように前記開口部を通って互いに接続され、
前記装飾フレームが解放可能に前記サブフレーム・アセンブリの一つに固定されているため、前記装飾フレームは前記サブフレーム・アセンブリから取外し可能であるペット用ドア。
【請求項１５】
第二の装飾フレームが、前記第一のサブフレームまたは前記第二のサブフレームのうち、別の方に取付けられている、請求項１４に記載のペット用ドア。
【請求項１６】
前記第一の装飾フレームと第二の装飾フレームとが同一である、請求項１５に記載のペット用ドア。
【請求項１７】
前記第一の装飾フレームが第二の装飾フレームとは異なる、請求項１５に記載のペット用ドア。
【請求項１８】
前記の差異がサイズ、形状、色、およびその組み合わせのグループから選択される、請求項１７に記載のペット用ドア。
【請求項１９】
前記コアフレーム部材は、コアフレーム部材を接続する留め具を使用することなく、また、コアフレーム部材とサブフレーム・アセンブリとを接続する留め具を使用することなく、サブフレーム・アセンブリ間で解放可能に互いに固定される、請求項１４に記載のペット用ドア。
【請求項２０】
ペット用ドアであって、
底部エッジと、側面部エッジと、上部エッジとを有するフレキシブル・フラップを有し、
前記フレキシブル・フラップの側面部エッジは磁石部分を含み、
前記フレキシブル・フラップの側面部エッジは静止位置と延出位置に来ることができ、前記側面部エッジは、前記フレキシブル・フラップが初期位置にある時に延出位置にあり、前記初期位置にある間、側面部エッジにある前記磁石部分は、前記ドアに取付けられたアセンブリにある磁石部分に付き、
前記フレキシブル・フラップが初期の閉位置から開位置へ押出され、前記側面部エッジの磁石部分が前記ドアに取付けられたアセンブリから離れると、前記側面部エッジは弛緩位置になるペット用ドア。
【請求項２１】
前記フレキシブル・フラップの上部エッジはアーチ型の上部エッジである、請求項２０に記載のペット用ドア。
【請求項２２】
前記ドアが初期状態から動くにつれて前記フレキシブル・フラップの側面部エッジが内向きにテーパ状態となり、前記側面部エッジの磁石部分が外れ、前記ドアに付いていた前記アセンブリが動く、請求項２１に記載のペット用ドア。
【請求項２３】
前記磁石部分の少なくとも一つはチェーンである、請求項２０に記載のペット用ドア。
【請求項２４】
前記フラップは前記ペット用ドアのエッジと、前記ペット用ドアの側面部エッジにある磁石部分との間に延びているフレキシブル・リブを有し、前記フラップの側面部エッジにある磁石部分と前記ドアに取付けられたアセンブリとの相互作用の結果として、前記フラップの側面部エッジは延出位置と弛緩位置に来ることができる、請求項２０に記載のペット用ドア。
【請求項２５】
ペット用ドア用の装飾キットであって、前記ペット用ドアは住宅用ドアに固定された第一のサブフレーム・アセンブリと第二のサブフレーム・アセンブリとを有し、前記装飾キットは、
第一の装飾フレームを有し、
前記第一の装飾フレームは動作可能に、ただし解放可能に前記第一のサブフレーム・アセンブリに固定されているため、前記第一のサブフレーム・アセンブリが前記住宅用ドアに固定されたままの状態で、前記第一の装飾フレームは前記第一のサブアセンブリから取外し可能であり、前記装飾フレームは外観部に装飾が施してある、装飾キット。
【請求項２６】
第二の装飾フレームをさらに有し、
前記第二の装飾フレームは動作可能に、ただし解放可能に前記第二のサブフレーム・アセンブリに固定されているため、前記第二の装飾フレームが前記住宅用ドアに固定されたままの状態で、前記第二のサブアセンブリから取外し可能であり、前記装飾フレームは外観部に装飾が施してある、請求項２５に記載の装飾キット。
【請求項２７】
前記第一の装飾フレームと第二の装飾フレームとが同一である、請求項２６に記載の装飾キット。
【請求項２８】
前記第一の装飾フレームが前記第二の装飾フレームとは異なる、請求項２６に記載のペット用ドア。
【請求項２９】
前記の差異がサイズ、形状、色、およびその組み合わせのグループから選択される、請求項２８に記載のペット用ドア。
【発明の詳細な説明】
【技術分野】
【０００１】
本発明は、ペット用ドアに関し、特に、装飾的で見た目に美しい、ペット所有者の住宅の様々な厚さのドアに取付けることができる調節可能なペット用ドアであって、ペット所有者がペット用ドアの外側フレームをカスタマイズできると共に、ロック機構の利用により、冷気や雨、迷子のペットや好ましくない侵入者がペット所有者の住宅に入る事態を防止する、ペット用ドアに関するものである。
【背景技術】
【０００２】
ペット所有者が介入しなくてもペットが簡単に住宅から出入りできるよう、住宅のドアに開口部すなわちペット用ドアを設置することが知られている。周知のペット用ドアは、一般的には、ペット所有者の住宅のドアまたは壁を切り抜いた開口部に取付けられる。多くの場合、これらの周知のペット用ドアの部品は住宅のドアに釘またはネジで留める構造となっているので、このようにペット用ドアの取付を困難にしている。さらに、住宅のドアは厚さが様々で、その他にもカスタム特性があるのが普通であるから、周知のペット用ドアが住宅の全てのドアに適合しないこともある。
【０００３】
住宅のドアに形成された開口部の中にペット用ドアを適切に取付ける場合、ペットが住宅から出入りできるように出入り口を作ることにより、特定の問題を引き起こすことが知られている。例えば、ペットが出入りのためにペット用ドアを使用していない時でも、雨や冷気などの天候状態は出入り口からペット所有者の住宅に入ることが知られている。さらに、大型ペットに対応できるよう、ペット用ドアを通り抜ける出入り口を比較的大きくすると、ペット所有者にとってセキュリティ上の問題が発生する。場合によっては、迷子の動物がペット用ドアからペット所有者の住宅に入るかもしれないは周知のことである。別の場合には、小さな子供や、その他の侵入者が出入り口サイズに適合し、ペット所有者の住宅に入り込むことも起こり得る。
【０００４】
さらに、周知のペット用ドアは、特に装飾を施した特定の住宅用ドアや、住宅の装飾的な内装や外装に隣接した住宅用ドアに付ける場合、一般的に地味な様相を示し、美しい外観とならない。このように、周知のペット用ドアは、外装・内装の装飾を損ない、住宅の外観に合わない、または全く異質なものとなり得る。例えば、一般的なペット用ドアには、ネジ、釘、またはその他の留め具で住宅用ドアに留めた正方形のフレームも含まれる。さらに、一般的なペット用ドアでは、ペット用ドア取付け後に住宅所有者がスタイル上の変更を行うことはできないようになっている。
【０００５】
従って、周知のペット用ドアには改善の余地がある。厚さが様々な住宅用ドアに適合するよう調節可能で、かつ、そのような住宅用ドアや住宅の外観部に形成された開口部に適合するよう調節可能またはカスタマイズ可能なペット用ドアが必要である。調節可能なペット用ドアを取付けることは、ペット用ドアの価値や用途を大幅に向上させる。
【０００６】
美しい外観のペット用ドアを提供することが望ましい。また、住宅の外観とマッチするようにペット用ドアのスタイル、色や構造形状を変えるため、ペット所有者がペット用ドアの一つの装飾的特性を別のものと取り替えたり、変更できることも望ましい。
【０００７】
さらには、ペット用ドアを閉じたり、固定することができるセキュリティ機能を提供するペット用ドアに関するニーズがある。例えば、ペットが住宅内にいるべき場合や、侵入者、子供や他の動物がペット用ドアを通って入るのを防ぐためにペット用ドアが使用されない場合などである。
【０００８】
ペット用ドアの取付部品ならびに技術面においても改善の余地がある。特に、住宅用ドアにドリルで穴を開けたり、住宅用ドアに留め具を挿入する必要はないようにすべきである。何故なら、これらの従来の方式でペット用ドアを取付けようとすると、取付けが複雑になるからである。
【発明の開示】
【０００９】
周知のペット用ドアの問題点を解決するため、ペット所有者の住宅用ドアに取付けるペット用ドアを開示する。このペット用ドアは、住宅用ドアに取付けまたはそれ以外の形で固定され、ペット所有者の住宅からペットが出入りできる出入り口を画定するサブフレーム・アセンブリを含む。実施例によっては、住宅用ドアに固定されたサブフレーム・アセンブリに装飾的フレームを取付けることができる。この装飾フレームは住宅の内側または外側のフレーム部に取付けることができる。屋内側と屋外側の装飾フレームは同一または異なる装飾の外観となることもあり、様々なデザイン、装飾、スタイル、趣き、装飾様式にマッチするように交換や取替えができる。従って、ペット用ドアの外観は、ペット所有者の好みに合うように、あるいは、住宅の装飾様式にマッチするように、異なる装飾フレームを使い、サブフレーム・アセンブリを取り替えることなくカスタマイズすることができる。
【００１０】
サブフレーム・アセンブリは住宅用ドアの開口部を画定し、コアフレーム部材で調節することができる。コアフレーム部材は、様々な厚さの住宅用ドアおよびペット用ドアと併用できるよう、必要に応じて脱着できる。特に、コアフレーム部材は、様々な厚さの住宅用ドアにペット用ドアを適合させるためにサブフレームから脱着することができる。サブフレームによって形成された出入り口を可動式フラップが覆っている。可動式フラップの底部と側面には、磁石および／または磁石に反応する鉄材が取付けられており、これが、対向する磁石および／または磁石に反応する鉄材と連動し、可動フラップの底部と側面をしっかりと固定し、出入り口を閉じるため、ペット用ドアが使用されていない時に冷気、雨などの天候状態がペット所有者の住宅に入り込む事態を殆どの場合防いでいる。取外し可能なセキュリティ・パネルを、開いた出入り口全体を覆うように取付けることもできる。デッドボルト錠などのロック機構は、無断でセキュリティ・パネルが外されたり、迷子のペットや望ましくない侵入者がペット所有者の住宅に入ることがないよう、ペット用ドアのサブフレーム部分に摺動で出入り可能とする。
【００１１】
以下、図面を参照して説明する。なお、図中、同一の参照番号は本書全体に渡って相当部分を示す。
【発明を実施するための最良の形態】
【００１２】
図１を参照すると、ペット用ドア１００は少なくとも一つの取外し可能な屋外側装飾フレーム１１０と、可動フラップ１２０とを含み、この可動式フラップ１２０は主にプラスチック、ビニルゴム、および／または適切な可撓性材料で作ることができる。フラップ１２０の最上部は、ペット用ドア１００のサブフレームに取付けられており（図３に図示）、ペットがこれを動かし、住宅用ドア１０の開口部の中に形成された出入り口１２２を通って住宅に出入りできるようになっている。本明細書は住宅用「ドア」への取付けに関する発明について記載しているが、一般に、住宅用ドア１０は、広義でペット用ドア１００を取付けることができる住宅・住居の壁やその他の部分を含むことを発明者は意図している旨が当業者には理解できるはずである。図示した本実施例においては、フラップ１２０の最上部は湾曲すなわちアーチ型となっている。図１０Ｂを参照して説明するように、アーチ型形状により、フラップ１２０の両側面と底部の開閉動作が促進される。例えば、装飾フレームとサブフレームの形状などによって、フラップ１２０を別の形状にすることもできる。
【００１３】
限定ではなく、参考として、住宅用ドア１０の側面１２を屋内側と呼び、住宅用ドア１０の側面１４を屋外側と呼ぶことにする。説明の目的で、「屋外側」装飾フレームを装飾フレーム１１０と呼び、これは、住宅用ドア１０の屋外側で住宅用ドア１０の面に隣接しているサブフレーム部分すなわちアセンブリの上に置かれる。装飾フレーム１１０は、住宅用ドア１０の内側、外側、または内側・外側の両方で用いることができる。
【００１４】
図２〜４、図６Ａ、図６Ｂ、図１１Ａ〜Ｄを参照すると、ペット用ドア１００は選択的にセキュリティ・ドアまたはパネル２００を含む。ペット用ドアが使用中でない時、セキュリティ・パネル２００は出入り口１２２全体を覆うように配置されることにより、出入り口１２２を実質的に密閉することができ、また、適切にロックすることにより侵入者、子供や動物などがペット用ドア１００を通って住宅に入ることを殆どの場合防止できる。セキュリティ・パネル２００は、ロック機構２１０により出入り口１２２の上の所定位置に固定される。一実施例においては、ロック機構２１０はハンドル２１２とボルト２１４（以下、ボルト、摺動部、または支柱と称する）を含む。使用時には、ロック機構２１０は、ハンドル２１２をねじることにより摺動ボルト２１４を穴２１８（図４）などのペット用ドアの一部に出入りさせて、各々必要に応じてセキュリティ・パネルをロックしたりロック解除する形で作動する。当業者なら、他のロック機構２１０や他の形状、例えば縦型配置のボルトや補強穴を用いることができることを理解していただけよう。図３は、住宅用ドア１０の屋内側と屋外側とを挟むようにして組立てた一実施例のペット用ドア１００の構成材を示す。図示したように、ペット用ドア１００は、住宅の屋内側にある装飾フレーム１１０ならびにセキュリティ・ドア２００、住宅の屋外側にある装飾フレーム１３０、ロック機構２１０、および可動式フラップ１２０を含む。ペット用ドア１００は、留め具で互いに接続されたサブフレーム・アセンブリ３００、３１０を含む。この留め具は、住宅用ドア１０に形成された開口を通ってサブフレーム・アセンブリ３００、３１０間に延びている。このように、周知のペット用ドアとは異なり、ペット用ドア１００を取付けるために住宅用ドアに別個の留め穴をドリルで開けたり、形成したりする必要がないから、住宅用ドア１０に付随的損傷を与えることがなくなり、かえってペット用ドアの取付けが簡単になる。
【００１５】
留め具は、穴３０１（サブフレーム３００内）を通って穴３１１（サブフレーム３１０内）に入るように、または穴３１１（サブフレーム３１０内）を通って住宅用ドア１０の開口部の出入り口１２２を通って挿入する形で、サブフレーム・アセンブリ３００、３１０を合わせて固定するようにしても良い。留め具は、間に挟み込んだ住宅用ドア１０のそれぞれ反対側に向かってサブフレーム・アセンブリ３００、３１０が共締めされるように締める。このように、サブフレーム・アセンブリ３００は住宅用ドア１０の屋内側１２に取付けられ、サブフレーム・アセンブリ３１０は住宅用ドア１０の屋外側１４に取付けられる。ペット用ドア・アセンブリの全体（装飾フレーム１１０、１３０は除外する）は、分解して住宅用ドア１０から取外すまでは固定され、取外しできない状態となる。
【００１６】
図示したように、サブフレーム・アセンブリ３００はモジュラー式アセンブリであり、二つの側面サブフレーム部分３０２、３０３と、上部サブフレーム部分３０４、底部サブフレーム部分すなわち敷居部３０５という個々のサブフレーム部分を含む。敷居部３０５は、可動式フラップ１２０の底部とかみ合う縦方向に可動な桟３０６を含む。フラップ１２０は、サブフレーム・アセンブリ３００の上部サブフレーム部分３０４に取付けられ、すなわち固定される。同様に、サブフレーム・アセンブリ３１０もモジュラー式アセンブリであり、二つの側面サブフレーム部分３１２、３１３と、上部サブフレーム部分３１４、底部サブフレーム部分３１５とを含む。
【００１７】
コアフレーム・アセンブリ３２０は、住宅用ドア１０の開口に形成した出入り口１２２の屋内側の周りに、これをフレームで囲むように設ける。コアフレーム・アセンブリ３２０もモジュラー式アセンブリであり、側面コアフレーム部材３２２、３２３と、上部コアフレーム部材３２４、底部コアフレーム部材３２５とを含む。一実施例において、コアフレーム部材３２２〜３２５はプルオフ式すなわち切離し可能な部材であり、住宅用ドア１０に形成された開口を通って横方向に延びる、互いに並んだ状態で接合された矩形のコア、すなわちトンネルを形成することにより、ペットがより安全に通ることができる出入り口１２２を形成する。図示したように、各コアフレーム部材は、一つ以上のコアフレーム部分（例：３２２ａ〜ｃ、３２３ａ〜ｃ、３２４ａ〜ｃ、３２５ａ〜ｃ）である。普通の当業者なら本明細書を見れば理解できるはずであるが、コアフレーム部分の幅とコアフレーム部分の数は、住宅用ドア（または壁）の様々な厚さ、幅、高さ、および／またはペット所有者のニーズに応じて調節しても良い。
【００１８】
切離し可能なフレーム部材のどれか一つのコアフレーム部分（３２５ａ〜ｃ）は互いに離れ、独立している。すなわち、一つの切離し可能なフレーム部材のコアフレーム部分（３２５ａ〜ｃ）は、隣にある一つのコアフレーム部分の隣接するコアフレーム部分に各々摺動可能に接合される。一実施例においては、コアフレーム部材（３２２ａ〜３２５）は実質的に住宅用ドア１０の内側の面と同一平面にあり、すなわち整合しており、このような、同一平面性や整合性は絶対必要なわけではないが、開口を画定し、その結果出入り口１２２を形成することになる。
【００１９】
図３〜５、７、１１に示したように、モジュラー式のコアフレーム部分３２５（ａ〜ｃ）のエッジ部は、「さね接ぎ（ｔｏｎｇｕｅ  ａｎｄ  ｇｒｏｏｖｅ）」構造であっても良く、そうすれば、一つのコアフレーム部分（３２５  ａ〜ｃ）を別のコア部分（３２５  ａ〜ｃ）に解放可能に取付け（例えば、摺動可能に取付け）られるようにして、その結果コアフレーム部材３２５やそれより長い（幅が広い）コアすなわちトンネルを形成できる。
【００２０】
取付けられ、ドアの開口を通って横方向に延びたコアフレーム部分３２５（ａ〜ｃ）の数は、厚め・薄めのドアや様々なペットの背の高さに対応できるよう調節可能である。言い換えれば、厚めのドアを通る出入り口１２２を形成するにはさらなるコアフレーム部分３２５（ａ〜ｃ）を用い、薄めのドアでは使用するコアフレーム部分３２５（ａ〜ｃ）を減らすのである。図示した上記実施例においては、コアフレーム３２０は、４個のコアフレーム部材３２２〜３２５を含み、各コアフレーム（３２２〜３２５）部材は、さね接ぎの連結部で並べて取り付けられた３個のコアフレーム部分（３２２（ａ〜ｃ）、３２３（ａ〜ｃ）、３２４（ａ〜ｃ）、３２５（ａ〜ｃ））を有する。コアフレームとサブフレーム部分とのモジュール式接続は、さね接ぎと関連して、あるいはさね接ぎの代替として、別の方法と手段を用いても良い。あるいは、図３Ａに示したように、コアフレーム部分３２２〜３２５を組み合わせて一体型のコアフレームを形成することもできる。
【００２１】
図示した上記実施例においては、コアフレーム部材３２５を正方形または矩形に並べる。当業者なら本明細書を読めば理解していただけるはずであるが、住宅用ドア１０の開口の内面を覆うのに必要なコアフレーム部分３２５（ａ〜ｃ）の数は様々であり、限定ではなく、説明の目的で、３個のコアフレーム部分を有するコアフレーム部材３２５を設けている。コアフレーム部分３２５（ａ〜ｃ）の別の部材、例えば２、４、５、６、７などを用いても良い。当業者なら本明細書を読めば理解していただけるはずであるが、コアフレームの形状は、好みの問題となることもある。
【００２２】
図４、７、８に示したように、第一のコアフレーム部分をサブフレーム・アセンブリ３１０に解放可能に取付け（例えば、摺動可能により、またはさね接ぎにより）るが、さらなるコアフレーム部分３２５（ａ〜ｃ）を第一のコアフレーム部分３２５に取付けて、様々な厚さの住宅用ドア１０に対応するため好ましい長さのコアフレーム・アセンブリ３２０を形成しても良い。また特に、コアフレーム・アセンブリ３２０は、住宅用ドア１０から切り取られた開口を通るよう、サブフレーム・アセンブリ３００、３１０間に延びている。
【００２３】
周知のペット用ドアの構造と比較対照すると、本明細書で説明・図示したペット用ドア１００では、コアフレーム部分３２５（ａ〜ｃ）を互いに、または他の構成材に取付ける必要がないが、これは、各コアフレーム部分３２５が、サブフレーム・アセンブリ３１０に形成された溝に解放可能に滑り込む突部を有し、さらなるコアフレーム部分３２５（ａ〜ｃ）を摺動可能かつ解放可能に前記コアフレーム部分３２５（図７を参照）に取付けることができるからである。別のサブフレーム・アセンブリ３００は、組立てたコアフレーム部分３２５のエッジを受け入れる溝を有する。次いで、組立てたコアフレーム部分３２５は、住宅用ドアに形成された開口を通って互いに固定されているサブフレーム・アセンブリ３００、３１０間で圧迫または固定される。しかしながら、コアフレーム部分を互いに、または、サブフレーム・アセンブリのいずれかに取付けるまたは締め付ける機械的留め具（例：ネジ、釘など）はない。この構造により、ユーザーが屋内側または中間のペット用ドアの構成材をまとめて固定する必要がなくなり、より少数の機械的留め具で素早く取付けができるようになる。
【００２４】
別のサブフレーム・アセンブリ、例えばサブフレーム・アセンブリ３００は、フラップ１２０を固定する構造となっている。図示したように、フラップ１２０はサブフレーム・アセンブリ３００の上部サブフレーム３０４に取付け、固定、または粘着してある。フラップ１２０の中間部と底部は、ペットにより横向き（すなわち、内側と外側に向けて）に動く。フラップ１２０に取付けてあるサブフレーム３０４は、敷居部３０６も含む。
【００２５】
また特に、底部サブフレーム部分３０５は、磁石部分または磁石に反応する鉄材でできた、またはこれを含む敷居部すなわち桟３０６を含む。用いることができる好適な敷居部は、合衆国特許第４，６５１，７９３号と第４，４０８，４１６号に記載されており、引用によりその開示内容をここに加える。一例として挙げる敷居部においては、フラップ１２０の底部エッジは、一つ以上の磁石１２５を含む。その結果、フラップ１２０の底部エッジが敷居部３０５に隣接する時に、敷居部の磁石３０６が上昇してフラップ１２０の底部エッジの磁石１２５に付くので、住宅用ドア１０の開口に形成された出入り口１２２の底部が実質的に密閉される。
【００２６】
同様に、図３、図９、図１０Ａ、図１０Ｂに示したように、フラップ１２０のエッジすなわち両側面は、個々の磁石、統合された磁性材料、あるいは磁石チェーンなどの磁石または磁石に反応する鉄材１２７を含むこともあり、これらは側面のサブフレーム３０２、３０３の磁石または磁性部３０８に取付けられて、出入り口１２２の両側面を密閉する。図９に示したように、フラップ１２０の側面は、フレキシブルなエルボー、リブ、またはＵ型部材１２８を含んでも良い。磁石１２７、３０８が充分な間隔で離れている時、例えばフラップ１２０が開いている時、部材１２８は延びていない、すなわち弛緩位置に来る。フラップ１２０が閉じると、磁石１２７、３０８間の引力により磁石１２７、３０８は互いに近づき合い、部材１２８は弛緩位置から延出位置へと外向きに延びるので、サブフレーム３００と住宅用ドア１０との間の出入り口１２２の両側面を密閉する「リビングヒンジ」すなわち調節可能なヒンジとなり、フラップ１２０が静止すなわち閉位置にある時には包括的な密閉を与える。
【００２７】
さらに、図示した上記実施例においては、図３、図８、図１０Ｂに示したように、可動式フラップ１２０の上部エッジが湾曲すなわちアーチ形状であっても良い。フラップ１２０の上部は、留め具を挿入してフラップ１２０をサブフレーム・アセンブリ３００、特に上部サブフレーム部分３０４に固定する穴を含む。
【００２８】
図１０Ｂを参照すると、この好適な実施例においては、フラップ１２０に向かって押し進むペットにより可動式フラップ１２０が強制的に開く時、フラップ１２０の両側面のエッジは中央縦軸に関して内向きにテーパ形状となるため、フラップ１２０は曲がり、円錐形に似た形状となる。フラップ１２０が元の位置すなわち密閉位置に戻ると、テーパすなわち円錐形状は減退し、フラップ１２０は元の殆ど平坦な形状に戻る。このテーパ動作により、フラップ１２０が押し開けられる時にサブフレーム３００の磁石部分３０８とフレキシブルなフラップ１２０の両側面と底面の磁石部分１２７が離れるが、静止した時にはフラップ１２０は殆ど平坦な形状で密閉される。
【００２９】
必要であれば、出入り口１２２にセキュリティ・パネル２００を設けることができる。図２、図４、図６Ａ、図６Ｂで示したように、ロック機構２１０を用いてセキュリティ・パネル２００をしっかり所定位置に保持し、屋内側のペット用ドア部から開口にアクセスできないようにする。図示した実施例においては、ロック機構２１０は支柱２１４とハンドルまたはアーム２１２を含む。セキュリティ・パネル２００は住宅の内側からでも、住宅の外側からでもロックできる。限定ではなく説明と例示の目的のために、本明細書では住宅の内側から取付けるセキュリティ・パネル２００の説明をする。
【００３０】
支柱またはボルト２１４はパネル２００上にガイド２１６で支えられ、屋外側装飾フレーム１１０の側面に形成された長穴２１８（穴または開口とも言う）から出入りする。この摺動可能な支柱２１４は、セキュリティ・パネル２００の反対側にある各ガイド２１６で支えられている。ガイド２１６に関する支柱２１４の摺動可能な動きは、回転可能なロッキングアーム２１２によって制御される。このロッキングアーム２１２は、セキュリティ・パネル２００をペット用ドア１００から取外すか、ペット用ドア１００に戻すか、または所定位置にロックする時にペット所有者が手動で操作する。説明をしている実施例においては、ペット所有者がロッキングアーム２１２を第一の方向（例えば右回り）に回すと、ロック機構２１０の支柱２１４がこれに応答して外向きに、互いから離れるように、各ガイド２１６、装飾フレーム１００を通って進み、サブフレーム・アセンブリ３００に入る。支柱２１４が穴２１８に進み入ると、デッドボルトタイプの錠が設定され、セキュリティ・パネル２００が無断で取り外されるような事態が防止される。周知のことであるが、これらの穴２１８は、セキュリティ増強のために補強したり、サブフレーム３００の中まで延びるようにすることもできる。
【００３１】
説明をしている実施例においては、ペット所有者がロッキングアーム２１２を別の方向（例：左回り）に回すと、支柱２１４がこれに対応して内向きに、互いの方向へ向かって、各ガイド２１６を通って後退する。従って、支柱２１４は穴２１８から抜け、ロック機構２１０はロック解除となるから、セキュリティ・パネル２００が取外し可能となり、ペットが出入り口１２２を通れるようになる。
【００３２】
一実施例によると、サブフレーム・アセンブリ３００、３１０とコアフレーム３２０を組立て、住宅用ドア１０の周りに固定した後、屋外側装飾フレーム１１０、１３０をサブフレーム・アセンブリ３００、３１０上に設置することにより、見た目が美しいペット用ドアが完成される。
【００３３】
特に、屋外側装飾フレーム１１０をサブフレーム・アセンブリ３００に適用し、屋内側装飾フレーム１３０をサブフレーム・アセンブリ３１０に適用する。装飾フレーム１１０、１３０は同一であっても、異なるものであっても良く、互換性があるものとしても良い。例えば、住宅の外装の装飾様式とマッチするように、一つの装飾フレームは特定の色、形状やサイズとしながら、別の装飾フレームは住宅の内装の装飾様式とマッチするように別の色、スタイル、形状やサイズとすることができる。図示した装飾的ペット用ドア・フレーム１１０、１３０のデザインは、限定ではなく説明と例示の目的のために挙げたものである。このように、地味な正方形のフレームをドアにネジで取付ける周知のペット用ドアとは異なり、本発明の実施例は、必要に応じてカスタマイズや変更が可能な、見た目が美しいペット用ドアを提供できる。
【００３４】
屋外側装飾フレーム１１０、１３０は屋内側サブフレーム・アセンブリ３００、３１０やコアフレーム３２０とは異なり、容易に取外しができる。例えば、一実施例によると、装飾フレーム１１０、１３０はサブフレーム・アセンブリ３００、３１０の上部を摺動するような形状とサイズの溝を含むことができる。装飾フレーム１１０、１３０はまた、様々な留め具（例えば「マジックテープ（登録商標）（ｌｏｏｐ  ａｎｄ  ｈｏｏｋ）」式構造）でサブフレーム・アセンブリに取付けることもできる。装飾フレーム１１０、１３０は取外し可能であるが、取外しをする間もこれ以外のペット用ドア構成材、すなわちサブフレーム・アセンブリ３００、３１０とコアフレーム３２０はそのまま住宅用ドア１０に固定されたまま残る。
【００３５】
屋外側装飾フレームのデザインの一例を示した上述の実施例においては、各装飾フレーム１１０、１３０は一対の直立支柱１１１と１１２、１３１と１３２を含み、これらは各々間隔を開け、平行に並べられた状態で配置されている。一体型キャップ１１３、１３３が支柱の上部と上部の間で水平に延び、一体型ベース１１４、１３４が支柱の底部と底部の間で水平に延びている。ペット用ドアの装飾フレーム１１０部の直立支柱１１１、１１２、１３１、１３２とキャップ１１３、１３３とベース１１４、１３４は出入り口１２２を囲んでおり、これを通ってペットが所有者の住宅から出入りすることができる。
【００３６】
図１２〜１４の実施例により、フレキシブル・フラップ１３２０の一例を説明する。フレキシブル・フラップ１３２０は底部エッジ１３０１、側面エッジ１３０２、１３０３、上部エッジ１３０４を有する。フレキシブル・フラップ１３２０の側面エッジ１３０２のＸ部で切った断面図を見ると、アンカー部分１３０５と、アンカー部分１３０５から結んでチェーンを形成する複数の磁性を示す部分１３０６を含む側面エッジが見える。このアンカー部分／複数の部分１３０６により製造が容易になるが、ゆるんだ複数の磁石の反応する部分を成形工程中に挿入することも可能である。フレキシブル・フラップは、図１０Ｂに記載したように開いたり、密閉位置に戻ったりする。
【００３７】
当業者なら本明細書を読めば理解していただけるはずであるが、装飾フレームはサブフレーム・アセンブリに取付けることも、住宅用ドアに取付けることもできる。さらに、当業者なら理解していただけるはずであるが、装飾フレームは、サブフレーム・アセンブリの様々な部分（例えば、サブフレーム・アセンブリの殆ど全て、または全て）を覆うようにすることができる。さらに、当業者なら理解していただけるはずであるが、装飾フレームは住宅用ドアに直接取付けることもできる。
【図面の簡単な説明】
【００３８】
【図１】住宅用ドアに取付けられた一実施例によるペット用ドアであり、取外し可能な屋外側装飾フレームを含む。
【図２】一実施例によるペット用ドアであり、取外し可能な屋外側装飾フレームと、セキュリティ・パネルと、屋内側デッドボルトとを含む。
【図３】一実施例によるペット用ドアの分解図である。
【図３Ａ】別の実施例によるコアフレームである。
【図４】ペット所有者のドアの反対側から取付けるセキュリティ・パネルの付いたペット用ドアの屋内および屋外側サブフレーム・アセンブリの向かい合わせた配置を示す図である。
【図５】さらに、向かい合うように配置したペット用ドアの屋内および屋外側サブフレーム・アセンブリを示す図である。
【図６Ａ】一実施例による屋内セキュリティ・パネルとデッドボルト錠の配置を示す図である。
【図６Ｂ】一実施例による屋内セキュリティ・パネルとデッドボルト錠の配置を示す図である。
【図７】サブフレーム・アセンブリと、コアフレーム部分を有するコアフレームとを示す図である。
【図８】サブフレーム・アセンブリに可動フラップが取付けられたペット用ドアを示す図である。
【図９】可動フラップの側面の磁石部品がサブフレーム・アセンブリに引き付けられる様子を示す図である。
【図１０Ａ】可動フラップの側面の磁石部品がサブフレーム・アセンブリから離れている様子を示す図である。
【図１０Ｂ】フラップに力がかけられた時のアーチ型形状のフレキシブル・フラップのたわみまたはテーパリングを詳しく示す図である。
【図１１】取付けたペット用ドアの断面図である。
【図１２】ペット用ドアで用いる可動式フラップの一実施例である。
【図１３】一実施例によるペット用ドアで用いる可動式フラップの断面図である。
【図１４】一実施例によるペット用ドアで用いる可動式フラップの拡大断面図である。
【図１】
2008520873.tif 000003
【図２】
2008520873.tif 000004
【図３】
2008520873.tif 000005
【図３Ａ】
2008520873.tif 000006
【図４】
2008520873.tif 000007
【図５】
2008520873.tif 000008
【図６Ａ】
2008520873.tif 000009
【図６Ｂ】
2008520873.tif 000010
【図７】
2008520873.tif 000011
【図８】
2008520873.tif 000012
【図９】
2008520873.tif 000013
【図１０Ａ】
2008520873.tif 000014
【図１０Ｂ】
2008520873.tif 000015
【図１１】
2008520873.tif 000016
【図１２】
2008520873.tif 000017
【図１３】
2008520873.tif 000018
【図１４】
2008520873.tif 000019
【国際調査報告】
2008520873.tif 000020